(57)【要約】【課題】浴槽水を循環する流量を減らすことなく、装置規模が小さく、コストを抑えた流水浴槽を提供する。【解決手段】流水浴槽１は、浴槽４と、浴槽４の前後壁面の一方の壁面５に形成された流入口６と、浴槽の前後壁面の他方の壁面８に形成された流出口１０と、流入口６と流出口１０とを接続する流体通路２と、流体通路２の途中に設けられた循環装置３とで構成される。流水通路２は、流出口１０と端部が接続され垂直に配設された吸入部１６と、壁面８から壁面５まで浴槽４の下に配設された水平部１７と、流入口６と端部が接続され垂直に配設された吐出部１８とから構成される。水平部１７は、断面が略Ｕ字状をしており、浴槽４と一体的に形成されており、底面９が、蓋をするように接続することで、管路を形成している。流水通路２が浴槽４の底部を通して形成されているため、流量を減らすことなく、設置面積を小さくすることができる。【選択図】  図１
2005211238.tif 000002
【特許請求の範囲】
【請求項１】
浴槽の前後壁面の一方の壁面に形成された流入口と、前記浴槽の前後壁面の他方の壁面に形成された流出口と、前記流入口と前記流出口とを接続する流体通路と、前記流体通路の途中に設けられた、浴槽水を循環させる手段とを有する流水浴槽において、
前記流体通路は、前記浴槽の底面の下を通るように形成され、
前記流体通路の壁面は、前記浴槽と一体的に形成されていることを特徴とする流水浴槽。
【請求項２】
前記浴槽の前記底面に、取り外し可能な蓋部を設けたことを特徴とする請求項１記載の流水浴槽。
【請求項３】
前記流体通路は、前記流水口から前記流入口までの間に、断面積が徐々に小さくなる縮小部が形成されたことを特徴とする請求項１または２に記載の流水浴槽。
【発明の詳細な説明】
【技術分野】
【０００１】
本発明は、浴槽の一部から流体を噴出して体力増強や、リハビリ、水泳の練習などに利用ができる循環式の流水浴槽に関する。
【背景技術】
【０００２】
従来、浴槽の一部に形成された小孔から加圧流体を噴出するジェットバスが多数用いられている。これらのジェットバスは、例えば直径１０〜１５ｍｍ程度の小孔から例えば５ｍ／ｓ程度の速度の温水に気泡を混ぜて噴出し、背中や腕、足等の狭い範囲に圧力を加えている。ジェットバスに所定時間入浴することにより、所定の範囲の血行をよくすることができる。
【０００３】
しかし、ジェットバスは、狭い範囲に高い圧力が加わるため、体全体に同時に刺激を加えることができない。また、狙った部位に圧力を加えるためには、浴槽内であまり体を動かすことができないので、体全体をリラックスさせることが困難である。
【０００４】
そこで、本願発明者らが先に出願した特開２００３−３８６０３号公報（特許文献１）には、流入口および流出口が、水槽の一方の側部を通過するＣ形の流体通路に連結されており、流体通路の途中位置には、駆動モータによる回転で、湯を軸方向に加圧して、流動させる軸流羽根を設けた温水流発生装置が開示されている。
【０００５】
【特許文献１】特開２００３−３８６０３号公報
【発明の開示】
【発明が解決しようとする課題】
【０００６】
しかしながら、特許文献１に記載の温水流発生装置では、流体通路を浴槽の一方の側部に配置しているため、温水循環装置が占める設置面積が大きくなり、規模が大きいものとなる。この構成で設置面積を小さくしようとすれば、流体通路の幅を小さいものとすることとになり、循環する浴槽水の流量を減らすことになる。
【０００７】
そこで本発明が解決しようとする課題は、浴槽水を循環する流量を減らすことなく、装置規模が小さく、コストを抑えた流水浴槽を提供することにある。
【課題を解決するための手段】
【０００８】
前記課題を解決するために、本発明の流水浴槽は、浴槽の前後壁面の一方の壁側面に形成された流入口と、前記浴槽の前後壁面の対向した他方の壁側面に形成された流出口とが形成され、前記流入口と前記流出口とを接続する流体通路と、前記流体通路の途中に設けられた、浴槽水を循環させる手段とを有する流水浴槽において、前記流体通路は、前記浴槽の底面の下を通るよう形成され、前記流体通路の壁面は、前記浴槽と一体的に形成したものである。
【０００９】
浴槽水が吐出する流入口と、浴槽水を吸入する流出口とを接続する流体通路を、浴槽の底面の下を通るように形成することにより、浴槽の側方を流体通路が通過しないので、設置面積を少なくすることができる。また、流体通路の壁面を、浴槽と一体的に形成することにより、浴槽の一部分と流体通路を一つの部材で形成することができるので部品点数を減らすことができる。
【００１０】
ここで、「流体通路の壁面を、浴槽と一体的に形成する」とは、浴槽の、底面、流入口が形成された一方の壁面、または流出口が形成された他方の壁面が、流体通路の管路の一部を構成する壁面と一体的に形成されていることをいう。
【００１１】
一体的に形成する場所は、底面、流入口が形成された一方の壁面、または流出口が形成された他方の壁面のみ、またはその一部分としても良いが、流体浴槽を構成する部品点数を削減するためには、流体通路の断面をＵ字状に形成し、底面と、流入口が形成された一方の壁面と、および流出口が形成された他方の壁面とで、蓋をするように接続することで、流体通路である管路を形成するほうが望ましい。
【００１２】
前記浴槽の前記底面に、取り外し可能な蓋部を設けることも可能である。そうすることで、流体通路の内側面を露出させることができる。
【００１３】
前記流体通路は、前記流水口から前記流入口までの間に、断面積が徐々に小さくなる縮小部を形成することもできる。流出口から吸い込まれた浴槽水が流体通路の縮小部を通過することで流速が加速されるので、浴槽水を流入部から浴槽内に勢いよく吐出させることができる。
【発明の効果】
【００１４】
本発明によれば次の効果を奏する。
（１）流水通路を浴槽の底面の下を通るよう設置することにより、浴槽の側方に流水通路が形成されないので、設置面積を少なくすることができる。また、浴槽の底面が流水通路の壁面と一体的に形成されることにより、浴槽の一部分と流体通路を一つの部材で形成することができ、部品点数を減らすことができる。よって、コストを抑制することができる。
（２）前記浴槽の底面に、取り外し可能な蓋部を形成することで、流体通路の内部を露出させることができ、清掃などのメンテナンスが容易に行うことができる。
（３）流水口から流入口までの間に断面積が徐々に小さくなる縮小部が形成されたことにより、流出口から吸い込まれた浴槽水が流体通路の縮小部を通過することで流速が加速され、流入部から浴槽内に、浴槽水を勢いよく吐出することができる。
【発明を実施するための最良の形態】
【００１５】
以下、本発明の実施の形態について、図面に基づいて説明する。
図１は、本発明の実施の形態１に係る流水浴槽の正面断面図である。図２は、同流水浴槽の平面図である。図３は、同流水浴槽の流出口側の断面図である。図４は同流水浴槽の流入口側の断面図である。
【００１６】
図１から図４に示すように、流水浴槽１は、浴槽４と、浴槽４の前後壁面の一方の壁面５に形成された流入口６と、浴槽の前後壁面の他方の壁面８に形成された流出口１０と、流入口６と流出口１０とを接続する流体通路２と、流体通路２の途中に設けられた循環装置３とで構成される。
【００１７】
浴槽４は、長さ１２０ｃｍ、幅１００ｃｍで、深さ１１０ｃｍで、平面視して略六角形状に形成されている。
浴槽４の壁面５に形成された流出口６は、縦３０ｃｍ、横４０ｃｍの略矩形状に形成されている。また、流出口６には、流体通路２内に使用者が、手や足などを入れないよう、格子状のガード板７が設けられている。
【００１８】
流出口６に対向する前後壁面の他方の壁面８には、浴槽４内の浴槽水を流体通路２内へ吸入する流出口１０が設けられている。流出口１０は、浴槽４の壁面８とほぼ同じ広さの面積としており、浴槽４の底面９から高さ１１０ｃｍの位置まで、幅６０ｃｍの矩形状に形成されている。
【００１９】
浴槽４の長手方向の側面１４には、使用者が浴槽４へ出入り際に使用する梯子１２が設けられている。また、流出口６に背中を向け、使用者が入浴した際に、流水の勢いに流されないようにするために手摺り１３が、浴槽４の長手方向の側面１４に設けてある。
【００２０】
また、側面１４には、浴槽水が溢れることを防止する排水口１５が設けられている。排水口１５は、浴槽４の底面９から１１０ｃｍの位置に配設されているので、浴槽水は、水深１１０ｃｍ以上となると、排水口１５から排水される。この排水口１５により、それ以上浴槽水が貯留されることを防止している。
【００２１】
流水通路２は、流出口１０と端部が接続され、垂直に配設された吸入部１６と、壁面８から壁面５まで浴槽４の下に配設された水平部１７と、流入口６と端部が接続され、垂直に配設された吐出部１８とから構成される。このように、流体通路２を、浴槽４の底面９の下を通るように形成することにより、浴槽４の側方を流体通路２が通過しないので、設置面積を少なくすることができる。従って、流水浴槽１の設置面積を少なくするために、流体通路２の流水方向に対して垂直となる断面積を少なくする必要がない。よって、循環する浴槽水の流量を減らすことが防止できる。
【００２２】
吸入部１６は、浴槽４から流出した浴槽水を効率よく水平部１７へ流し込むため湾曲させた曲部１６ａが形成されている。また、吸入部１６は、水平部１７と接続する位置に、流体通路２内に使用者が、手や足などを入れないよう、格子状のガード板１１が設けてある。
【００２３】
水平部１７は、断面が略Ｕ字状をしており、浴槽４の底面９が、蓋をするように接続されることで管が形成されている。このように、流体通路２の水平部１７の壁面が、浴槽４と一体的に形成されているので、浴槽４の一部分と流体通路２を一つの部材で形成することができるので部品点数を減らすことができる。
【００２４】
水平部１７は、流動損失を抑えるために吸入部１６との接続部分において、曲部１７ａが形成されている。また、水平部１７は、吐出部１８との接続部分において、断面積が徐々に小さくなる縮小部２０が形成されている。
【００２５】
この縮小部２０により、流出口１０から流体通路２へ吸い込まれた浴槽水が、縮小部２０を通過する際に加速されるので、流入部６から浴槽４内に勢いよく吐出させることができる。
【００２６】
底面９には、蓋部２２が取り外し可能に備えられており、蓋部２２を取り外すことで、流体通路２の水平部１７の内側が露出する。水平部１７の内側が露出することで、流体通路の内側の清掃などのメンテナンスが容易に行える。
【００２７】
吐出部１８は、流動損失を抑えるために曲部１８ａ，１８ｂが形成されており、浴槽水を流動させる循環装置３を備えている。
【００２８】
循環装置３は、駆動モータ（図示せず）の駆動シャフトに接続されたＶプーリ２５が、Ｖベルト２６を介して、軸流羽根２７を保持するシャフト２８に回転を伝達している。
循環装置３のシャフト２８は、軸受２９を吐出部１８に固設させ、軸流羽根２７の回転を安定させている。
【００２９】
以上のように構成された、本発明の実施の形態に係る流水浴槽の動作および使用状態を図１から図４に基づいて説明する。
【００３０】
まず、浴槽４に、浴槽水を貯留する。浴槽水は、温水でも水でもその用途によってどちらでもよい、例えば、温浴による指圧効果を望むならば、温水を貯留する。
浴槽水は、流出口１０から流水通路２の吸入部１６へ侵入する。そして、流入口６の位置まで水位が上がってくると、流入口６からも流水通路２の吐出部１８へ侵入してくる。
【００３１】
このようにして、流水通路２は浴槽水で満たされる。更に続けて水位が上がってくると排水口１５の位置まで貯留することができ、排水口１５より水位が高くなると、排水口１５から浴槽水は排水される。
【００３２】
循環装置３の駆動モータを回転することで、軸流羽根２７を回転させる。そうすると、吐出部１８の浴槽水が流入口６へ押し流され、浴槽４の内部へ流れ出る。吐出部１８から浴槽水が押し流されると共に、流出口１０から浴槽水を吸い込み、水平部１７を通過して吐出部１８へ流れる。このようにして浴槽４の内部と流水通路２の中を浴槽水が循環する。
【００３３】
使用者は、梯子１２を降り、浴槽４内へ進入する。そして流入口６が形成された壁面５を背中にして、流出口１０が形成された壁面８の方向へ足を出し、流入口６から吐出した浴槽水が背中に当たるように座る。この場合、水深が１ｍ近くあるので、高さ３０ｃｍ程度のイスに座るのが望ましい。
【００３４】
また、使用者は浴槽４に浸かる場合に、壁面８を背中にし、壁面５を向いて座るようにしてもよい。このように座ると、流入口６から吐出した浴槽水を、胸部や腹部に当てることができる。
【００３５】
その際に、流出口６から吐出する流水の勢いに押し流されそうになった場合は、浴槽４の長手方向の両方の側面１４に備えられている手摺り１３に掴まることも可能である。
【００３６】
以上、本発明の実施の形態について説明してきたが、本発明は、前記実施の形態に限定されるものではなく、本発明に係る流水浴槽を、トレーニングジムなどに設置される小規模なプールに適用してもよい。プールに本発明に係る流水浴槽を適用することで、設置面積を小さくすることができ、流れる水に逆らうように泳ぐことで、水泳の練習や、体力の増強など図ることができる。
【産業上の利用可能性】
【００３７】
本発明の温水流発生装置は、浴槽に設置するほか、プールなどにも設置ができ、体力増強や、リハビリ、水泳の練習などにも広く利用ができる。
【図面の簡単な説明】
【００３８】
【図１】本発明の実施の形態１に係る流水浴槽の正面断面図である。
【図２】本発明の実施の形態１に係る流水浴槽の平面図である。
【図３】本発明の実施の形態１に係る流水浴槽の流出口側の断面図である。
【図４】本発明の実施の形態１に係る流水浴槽の流入口側の断面図である。
【符号の説明】
【００３９】
１  流水浴槽
２  流体通路
３  循環装置
４  浴槽
５  壁面
６  流入口
７  ガード板
８  壁面
９  底面  
１０  流出口
１１  ガード板
１２  梯子
１３  手摺り
１４  側面
１５  排水口
１６  吸入部
１６ａ  曲部
１７  水平部
１７ａ  曲部
１８  吐出部
１８ａ，１８ｂ  曲部
２０  縮小部
２１  湾曲部
２２  蓋部
２５  Ｖプーリ
２６  Ｖベルト
２７  軸流羽根
２８  シャフト
２９  軸受
【図１】
2005211238.tif 000003
【図２】
2005211238.tif 000004
【図３】
2005211238.tif 000005
【図４】
2005211238.tif 000006